(57)【要約】【課題】回転ドラムに対し記録材料の浮き上がりよって生じるしわを抑え、ムラなく吸引記録することを可能である。【解決手段】外部空間からその内部空間まで周壁を貫通する複数の貫通孔を有する回転ドラム３１と、回転ドラム３１の内部空間から空気を吸引する空気吸引手段２００と、回転ドラム３１の外周面上に保持された記録材料Ｐに画像を記録する記録手段３００と、を有し、空気吸引手段２００による吸引により生じる外部空間と内部空間との間の気圧差により回転ドラム３１の外周面上に記録材料Ｐを保持する画像記録装置において、回転ドラム３１の外周面に円周方向成分及び軸方向成分を有する方向に延びる吸引溝３１ｄ，３１ｅが貫通孔３１ｃと接続されるように設けられており、回転ドラム３１の外周面に円周方向成分を有する方向に延びる吸引溝３１ｄに対し、回転ドラム３１の外周面に吸引保持された所定長さの記録材料Ｐの後端部の箇所の吸引溝３１ｄにおいて、軸方向成分に対し最外部に位置する吸引溝３１ｄが記録材料全域に渡って連結されている。【選択図】図５
2004322390.tif 000002
【特許請求の範囲】
【請求項１】
外部空間からその内部空間まで周壁を貫通する複数の貫通孔を有する回転ドラムと、前記回転ドラムの内部空間から空気を吸引する空気吸引手段と、前記回転ドラムの外周面上に保持された記録材料に画像を記録する記録手段と、を有し、
前記空気吸引手段による吸引により生じる前記外部空間と前記内部空間との間の気圧差により前記回転ドラムの外周面上に前記記録材料を保持する画像記録装置において、
前記回転ドラムの外周面に円周方向成分及び軸方向成分を有する方向に延びる吸引溝が前記貫通孔と接続されるように設けられており、
前記回転ドラムの外周面に円周方向成分を有する方向に延びる前記吸引溝に対し、
前記回転ドラムの外周面に吸引保持された所定長さの前記記録材料の後端部の箇所の前記吸引溝において、前記軸方向成分に対し最外部に位置する前記吸引溝が記録材料全域に渡って連結されていることを特徴とする画像記録装置。
【請求項２】
前記回転ドラムの外周面に円周方向成分を有する方向に延びる吸引溝に対し、前記回転ドラムに吸引保持されている所定の長さの前記記録材料の後端部の前記円周方向成分を有する方向に延びる前記吸引溝が埋められていることを特徴とする請求項１に記載の画像記録装置。
【発明の詳細な説明】
【０００１】
【発明の属する技術分野】
この発明は、回転ドラムの外周面上に保持された記録材料に画像を記録する画像記録装置に関するものである。
【０００２】
【従来の技術】
近年、色分解網原稿フィルムを、切り貼りなどしたフィルムからではなく、ＤＴＰと呼ばれる装置で、色分解された文字網原稿画像データや写真網原稿画像データやベタ画像網原稿画像データなどの画像データから、画像データ上で切り貼りなどして、色分解網原稿画像データを作成し、イメージセッタと呼ばれる装置で、この色分解網原稿画像データから色分解網原稿フィルムを作成したり、ＣＴＰと呼ばれる装置で、直接、印刷版を作成することが行われている。
【０００３】
このようなＤＴＰを用いたシステムで行う校正作業としては、色分解網原稿画像データから色分解網原稿フィルムを作成し、色分解網原稿フィルムからカラープルーフを作成する方法だけでなく、色分解網原稿画像データから、直接、カラープルーフを作成するＤＣＰが、最近、行われている。
【０００４】
このＤＣＰには、色分解網原稿画像データに基づいて、ハロゲン化銀カラー写真感光材料をＬＥＤやレーザ光などによって露光することで、カラープルーフを作成するものなどがある。
【０００５】
このような記録材料に画像を記録する画像記録装置には、外部空間からその内部空間まで周壁を貫通する複数の貫通孔を有する回転ドラムと、この回転ドラムの内部空間から空気を吸引する空気吸引手段と、回転ドラムの外周面上に保持された記録材料に画像を記録する記録手段とを有し、記録材料を空気吸引手段による吸引により生じる外部空間と内部空間との間の気圧差により回転ドラムの外周面上に保持し、回転ドラムの外周面上に保持された記録材料に記録手段により画像を記録するものがある（特許文献１）。
【０００６】
【特許文献１】
特開２００１−２１５７２４号公報
【０００７】
【発明が解決しようとする課題】
このように、記録材料が吸引により生じる外部空間と内部空間との間の気圧差により回転ドラムの外周面上に保持されるが、このとき記録材料と回転ドラムの外周面との間に空気が部分的に溜り、この空気溜りが記録材料を浮き上がらせてしわが生じ、このしわによって記録ムラが発生することがある。
【０００８】
この発明は、以上の問題点に鑑みてなされたもので、回転ドラムに対し記録材料の浮き上がりよって生じるしわを抑え、ムラなく吸引記録することを可能な画像記録装置を提供することを目的とする。
【０００９】
【課題を解決するための手段】
前記課題を解決し、かつ目的を達成するために、この発明は、以下のように構成した。
【００１０】
請求項１に記載の発明は、外部空間からその内部空間まで周壁を貫通する複数の貫通孔を有する回転ドラムと、前記回転ドラムの内部空間から空気を吸引する空気吸引手段と、前記回転ドラムの外周面上に保持された記録材料に画像を記録する記録手段と、を有し、
前記空気吸引手段による吸引により生じる前記外部空間と前記内部空間との間の気圧差により前記回転ドラムの外周面上に前記記録材料を保持する画像記録装置において、
前記回転ドラムの外周面に円周方向成分及び軸方向成分を有する方向に延びる吸引溝が前記貫通孔と接続されるように設けられており、
前記回転ドラムの外周面に円周方向成分を有する方向に延びる前記吸引溝に対し、
前記回転ドラムの外周面に吸引保持された所定長さの前記記録材料の後端部の箇所の前記吸引溝において、前記軸方向成分に対し最外部に位置する前記吸引溝が記録材料全域に渡って連結されていることを特徴とする画像記録装置である。
【００１１】
この請求項１に記載の発明によれば、所定長さの記録材料の後端部の箇所の吸引溝において、軸方向成分に対し最外部に位置する吸引溝が記録材料全域に渡って連結されていることで、回転ドラムの外周面上に記録材料の先端部が給送された状態で吸引し、その後、さらに記録材料を回転ドラムの外周面上に給送する間の外部空間と内部空間との間の気圧差で吸引する時に、空気が記録材料と回転ドラムの外周面との間に溜ることなく記録材料全域に渡って連結されている吸引溝から抜け、回転ドラムに対し記録材料の浮き上がりによって生じるしわを抑え、ムラなく吸引記録することができる。
【００１２】
請求項２に記載の発明は、前記回転ドラムの外周面に円周方向成分を有する方向に延びる吸引溝に対し、前記回転ドラムに吸引保持されている所定の長さの前記記録材料の後端部の前記円周方向成分を有する方向に延びる前記吸引溝が埋められていることを特徴とする請求項１に記載の画像記録装置である。
【００１３】
この請求項２に記載の発明によれば、回転ドラムに吸引保持されている所定の長さの記録材料の後端部の円周方向成分を有する方向に延びる吸引溝が埋められていることで、記録材料の後端部の吸引力を強くして吸引保持し、後端部の浮き上がりを防止することができる。
【００１４】
【発明の実施の形態】
以下、この発明の画像記録装置の実施の形態について説明するが、この発明は、実施の形態に限定されるものではない。また、この発明の実施の形態は、発明の最も好ましい形態を示すものであり、この発明の用語は、これに限定されない。
【００１５】
この発明の画像記録装置を適用したカラープルーフ作成装置は、図１乃至図５に示すように構成される。図１はカラープルーフ作成装置の概略構成図、図２は画像記録部の概略構成を示す正面図、図３は画像記録部の概略構成を示す平面図、図４は回転ドラムの斜視図、図５は回転ドラムの吸引溝を示す展開図、図６は図５のＶＩ−ＶＩ線に沿う断面図、図７は図５のＶＩＩ−ＶＩＩ線に沿う断面図である。
【００１６】
カラープルーフ作成装置１の装置本体２には、露光ユニット３及び現像処理ユニット４が備えられている。露光ユニット３の上部には、現像部側にセット部７が配置される。セット部７には、記録材料遮光用カバー９が開閉可能に設けられ、記録材料遮光用カバー９によりロール状の感光材料またはペーパー等の記録材料を収納した一対の記録材料装填用マガジン１０がセット可能である。
【００１７】
現像処理ユニット４の側部には排紙部１５が設けられ、処理された記録材料が排紙部１５に排出される。
【００１８】
露光ユニット３には、給紙部２０、主走査部３０、副走査部４０及びアキュームレータ部６０が備えられている。給紙部２０には、搬送ローラ対２１、カッター部２２及び回転ローラ２３が記録材料装填用マガジン１０に対応して配置されている。記録材料装填用マガジン１０に対応して配置された搬送ローラ対２１により記録材料を引き出して、カッター部２２で所定の長さに切断し、回転ローラ２３、エンコーダローラ２５を介して主走査部３０へ送るようになっている。
【００１９】
主走査部３０及び副走査部４０が記録材料に画像を記録する露光部５００を構成し、主走査部３０には、円筒を構成する回転ドラム３１が回転可能に設けられ、記録材料が回転ドラム３１の外表面に吸着されて一体に回転する。回転ドラム３１に対向して光学ユニット３２が配置され、光学ユニット３２は副走査部４０によりドラム軸と平行に移動可能になっている。光学ユニット３２は、デジタル画像信号を受けて回転ドラム３１に吸着された記録材料にレーザービームで露光して画像の書き込みを行なう。
【００２０】
アキュームレータ部６０は、露光部５００から露光された記録材料を現像処理する現像処理ユニット４に備えられるプロセッサ部６００へ受け渡すために、記録材料を一時停留させる。このアキュームレータ部６０は、書き込みが終了した記録材料を回転ドラム３１から剥離してプロセッサ部６００へ送り込む。このとき、プロセッサ部６００の搬送速度の方が露光部５００の排紙速度より遅い場合は、排紙速度が高速のままアキュームレータ部６０に送り込み、記録材料をアキュームレータ部６０に垂れ下がるようにしてアキュームさせ、プロセッサ部６００との搬送タイミングを合わせ、露光部５００の処理能力を落とさないようにしている。
【００２１】
現像処理ユニット４のプロセッサ部６００には、第２露光部４１（以下、反転露光ダイレクトポジ感材の例で記載する）、現像部４２、定着部４３、安定部４４及び乾燥部４５が備えられている。第２露光部４１により露光部５００で露光されなかった部分の記録材料が疑似画像を形成し、第２露光された記録材料は、現像部４２、定着部４３及び安定部４４へ搬送して現像処理され、この処理された記録材料は乾燥部４５で乾燥して排紙部１５へ送出される。
【００２２】
次に、露光装置の構成を、図１乃至図６に基づいて詳細に説明する。
【００２３】
セット部７には、記録材料装填用マガジン１０が記録材料Ｐの先端を所定長さ引き出した状態で、給紙部２０の搬送ローラ対２１のローラ２１ａ，２１ｂの間の位置にセットする。いずれかの記録材料装填用マガジン１０から記録材料Ｐが供給される搬送中は、ローラ２１ｂを搬送位置に移動させて記録材料Ｐを対向するローラ２１ａ，２１ｂとの間で圧着する。それぞれのカッター部２２とエンコーダローラ２５との間には、基準センサＳ１、回転ローラ２３及びガイド２６がそれぞれ設けられている。
【００２４】
エンコーダローラ２５は、基準センサＳ１が記録材料の先端部を検出し、この先端部の検出から記録材料の搬送により回転して記録材料の送り量を検出し、所定の長さでカッター部２２を作動して記録材料を切断する。カッター部２２の後段には、シャッター２７が配置され、記録材料の搬送路の遮光とゴミ等の進入を防止する。ローラ２１ａ，２１ｂの前段には、記録材料の終端部を検出する後端検出センサＳ２が配置されている。記録材料装填用マガジン１０に対応して配置された搬送ローラ対２１により記録材料を引き出して、カッター部２２で所定の長さに切断し、回転ローラ２３を介して主走査部３０へ送るようになっており、この搬送ローラ対２１、カッター部２２及び回転ローラ２３が記録材料装填用マガジン１０から記録材料を供給する搬送手段Ａを構成する。
【００２５】
主走査部３０の回転ドラム３１の両端の軸部３１ａ，３１ｂは、軸受３３ａ，３３ｂを介して支持台３４ａ，３４ｂに回転可能に軸支されている。回転ドラム３１の一方の軸部３１ａには、駆動プーリ３５ａが設けられ、この駆動プーリ３５ａはドラム回転モータＭ６の出力プーリ３５ｂとベルト３６により連結され、ドラム回転モータＭ６の駆動により回転ドラム３１が回転する。また、回転ドラム３１の一方の軸部３１ｂには、ロータリーエンコーダ３７が設けられ、回転パルスを出力してドラム回転に同期した画素クロック制御に用いる。
【００２６】
回転ドラム３１の一方の軸部３１ａは、空気吸引手段２００を構成する吸引ブロアに連結されている。回転ドラム３１は中空体で形成され、表面には貫通孔３ｌｃが形成され、空気吸引手段２００の駆動により回転ドラム３１の内部が減圧されて記録材料が回転ドラム３１の表面に吸着される。
【００２７】
光学ユニット３２には、ＬＤまたはＬＥＤ等の光源が、各波長相当に対応して複数あり、例えば回転ドラム３１上の記録材料に画像を露光する。
【００２８】
光学ユニット３２は、移動手段７００によりドラム軸方向に移動可能になっている。移動手段７００は、光学ユニット３２の移動をガイドするガイド部材３４１，３４２と、光学ユニット３２を移動する回転可能なボールネジ３４０とを有し、このボールネジ３４０は駆動モータＭ７により回転される。駆動モータＭ７はモータ軸３４３を有し、モータ軸出力側にカップリング３４４を介してボールネジ３４０の一端部が設けられ、駆動モータＭ７のモータ軸非出力側に重り３４５が設けられている。
【００２９】
この重り３４５は、円筒状に形成されているが、これに限定されず、三角筒状、四角筒状などであってもよく、駆動モータＭ７のロータ慣性モーメントを擬似的に増加させており、振動に影響がある共振周波数ｆを変化することができ、簡単な構造で、ボールネジ３４０の振動を抑えることが可能である。
【００３０】
駆動モータＭ７の駆動により、カップリング３４４を介してボールネジ３４０が正回転、または逆回転して光学ユニット３２がドラム軸と平行に移動する。
【００３１】
この露光部５００からプロセッサ部６００へ受け渡すために、記録材料を一時停留させるアキュームレータ部６０は、回転ドラム３１に吸引された記録材料を剥離する剥離ガイド６１、搬送ガイド６２、アキュームレータ部６０におけるプロセッサ部６００のシート入口側に配された排出ローラ６４とを有し、回転ドラム３１に巻かれた記録材料を剥離してプロセッサ部６００へ送る。
【００３２】
この実施の形態には、回転ドラム３１に記録材料を装填する際に回転ドラム３１を駆動する駆動ローラ２２９が備えられている。この駆動ローラ２２９は中間部がピン２２９ａにより回転可能に支持されたレバー２２９ｂの一方の端部側に回転可能に取り付けられている。
【００３３】
更に、レバー２２９ｂの他方の端部側には、駆動ローラ圧着解除モータＭ５が設けられ、この駆動ローラ圧着解除モータＭ５によって、先端部にピン２２９ｃが設けられたレバー２２９ｄが回転されるようになっている。そして、レバー２２９ｂは、その他方の端部側がレバー２２９ｄのピン２２９ｃに当接する方向にばね２２９ｅによって付勢されている。
【００３４】
駆動ローラ圧着解除モータＭ５を回転駆動することにより、レバー２２９ｂがピン２２９ａを中心に回転し、駆動ローラ２２９が回転ドラム３１に対して当接（圧着）／離反（非圧着）するようになっている。
【００３５】
また、レバー２２９ｂの他方の端部側には、圧着センサＳ７、解除センサＳ８が設けられ、駆動ローラ２２９の状態が検出されるようになっている。また、駆動ローラ２２９が圧着状態にあるとき、駆動ローラ２２９は回転ドラム３１に当接するのみならず、駆動モータＭ４によって駆動されるローラ２２９ｆに当接するようになっている。
【００３６】
エンコーダローラ２５及び駆動ローラ２２９は記録材料Ｐにヨレが生じないようにスクイズし、同時に回転ドラム３１を回転させる。エンコーダローラ２５及び駆動ローラ２２９はリンク機構により回転ドラム３１に圧着する場合は、回転ドラム３１に圧着するする際は、１つの駆動モータにて圧着動作を行なう。
【００３７】
この実施の形態の画像記録装置は、外部空間からその内部空間まで周壁を貫通する複数の貫通孔３１ｃを有する回転ドラム３１と、回転ドラム３１の内部空間から空気を吸引する空気吸引手段２００と、回転ドラム３１の外周面上に保持された記録材料に記録する記録手段３００とを有する。そして、給送された記録材料を、空気吸引手段２００による吸引により生じる回転ドラム３１の外部空間と内部空間との間の気圧差により回転ドラム３１の外周面上に保持し、回転ドラム３１の外周面上に保持された記録材料に記録手段３００により画像記録する。
【００３８】
この回転ドラム３１の外周面には、図４及び図５に示すように、円周方向成分及び軸方向成分を有する方向に延びる吸引溝３１ｄ及び吸引溝３１ｅが貫通孔３１ｃと接続されるように設けられている。
【００３９】
この画像記録装置で処理できる記録材料Ｐのサイズは、図５に示すように、軸方向の長さ（記録材料Ｐの幅）がＷ１、Ｗ２、Ｗ３と、周方向の長さ（記録材料Ｐの長さ）がＬ１、Ｌ２、Ｌ３、Ｌ４、Ｌ５とを組み合わせた１５種類である。この回転ドラム３１の外周面に円周方向成分を有する方向に延びる吸引溝３１ｄに対し、回転ドラム３１の外周面に吸引保持された所定長さの記録材料Ｐの後端部Ｐｂの箇所の吸引溝３１ｄにおいて、図６に示すように、軸方向成分に対し最外部に位置する吸引溝３１ｄが記録材料全域に渡って連結されている。
【００４０】
即ち、この実施の形態では、１５種類の記録材料Ｐに応じて長さ方向の後端部の両最外側は、吸引溝３１ｄが連通され、この連通箇所ａ１〜ａ２０が２０箇所設けられている。
【００４１】
また、回転ドラム３１の外周面に円周方向成分を有する方向に延びる吸引溝３１ｄに対し、回転ドラム３１に吸引保持されている所定の長さの記録材料Ｐの後端部の円周方向成分を有する方向に延びる吸引溝３１ｄが、図７に示すように、パテ埋め３１ｆされている。
【００４２】
即ち、この実施の形態では、１５種類の記録材料Ｐに応じて長さ方向の後端部の両最外側の内側は、吸引溝３１ｄがパテ埋め３１ｆされ、このパテ埋め３１ｆの箇所ｂ１〜ｂｎが設けられている。
【００４３】
このように、所定長さの記録材料Ｐの後端部の箇所の吸引溝３１ｄにおいて、軸方向成分に対し最外部に位置する吸引溝３１ｄが、記録される記録材料のサイズに応じて記録材料全域に渡って連結されていることで、種々のサイズの記録材料に画像記録する場合でも回転ドラム３１の外周面上に記録材料Ｐの先端部Ｐａが給送された状態で吸引し、その後、さらに記録材料Ｐを回転ドラム３１の外周面上に給送する間の外部空間と内部空間との間の気圧差で吸引する時に、空気が記録材料Ｐと回転ドラム３１の外周面との間に溜ることなく、吸引溝３１ｄ及び吸引溝３１ｅから記録材料Ｐを給送するのに従って抜ける。そして、記録材料Ｐに応じて長さ方向の後端部の両最外側では、吸引溝３１ｄが連通され、記録材料全域に渡って連結されている吸引溝３１ｄから抜け、回転ドラム３１に対し記録材料Ｐの浮き上がりによって生じるしわを抑え、ムラなく吸引記録することができる。
【００４４】
また、回転ドラム３１に吸引保持されている所定の長さの記録材料Ｐの後端部の円周方向成分を有する方向に延びる吸引溝３１ｄが埋められており、即ち記録材料Ｐに応じて長さ方向の後端部の両最外側の内側は、吸引溝３１ｄがパテ埋め３１ｆされていることで、記録材料Ｐの後端部Ｐｂの吸引力を強くして吸引保持することができ、後端部の浮き上がりを防止することができる。
【００４５】
【発明の効果】
以上詳細に説明したように、請求項１及び請求項２に記載の発明では、回転ドラムに対し記録材料の浮き上がりよって生じるしわを抑え、ムラなく吸引記録することができる。
【図面の簡単な説明】
【図１】カラープルーフ作成装置の概略構成図である。
【図２】画像記録部の概略構成を示す正面図である。
【図３】画像記録部の概略構成を示す平面図である。
【図４】回転ドラムの斜視図である。
【図５】回転ドラムの吸引溝を示す展開図である。
【図６】図５のＶＩ−ＶＩ線に沿う断面図である。
【図７】図５のＶＩＩ−ＶＩＩ線に沿う断面図である。
【符号の説明】
１  カラープルーフ作成装置
２  装置本体
３  露光ユニット
４  現像処理ユニット
３１  ドラム
３１ｃ  貫通孔
２００  空気吸引手段
３００  記録手段
Ｐ  記録材料
【図１】
2004322390.tif 000003
【図２】
2004322390.tif 000004
【図３】
2004322390.tif 000005
【図４】
2004322390.tif 000006
【図５】
2004322390.tif 000007
【図６】
2004322390.tif 000008
【図７】
2004322390.tif 000009